(57)【特許請求の範囲】
【請求項１】
パケット交換される音声をサポートする第１無線アクセスネットワークのソースセルと少なくとも回線交換される音声をサポートする第２無線アクセスネットワークのターゲットセルとの間の通信システムにおける単一の無線の音声通話連続性の解決策との共存を達成するように構成された通信回路と処理回路を備え、
前記処理回路は、前記ターゲットセルにおける、デュアル転送モード、パケット交換ハンドオーバー、及びボイス・オーバー・インターネット・プロトコルに関する機能強化のサポートについての情報に基づいて、非音声ベアラから音声ベアラを分離することにより、ベアラ分割を実行するように構成されるノードであって、
前記処理回路は、
第２無線アクセスネットワークが、デュアル転送モード、パケット交換ハンドオーバー、及びボイス・オーバー・インターネット・プロトコルに関する機能強化をサポートしていない場合、音声ベアラのためにパケット交換ハンドオーバーを第２無線アクセスネットワークの回路交換ドメインコアネットワークに向けた回路交換ハンドオーバーに変換するとともに、非音声ベアラのために前記ノードと第２無線アクセスネットワークのパケット交換ドメインコアネットワークとの間のハンドオーバー信号を転送すること、ないし、前記非音声ベアラを中止すること、のうちの１つを実行し、
第２無線アクセスネットワークが、デュアル転送モード、パケット交換ハンドオーバー、及びボイス・オーバー・インターネット・プロトコルに関する機能強化をサポートする場合、音声ベアラおよび非音声ベアラのために前記ノードと第２無線アクセスネットワークのパケット交換ドメインコアネットワークとの間のハンドオーバー信号を転送するように構成されたノード（２０７、２１７）。
【請求項２】
前記処理回路は、さらに、前記ターゲットセルにおける、デュアル転送モード、パケット交換ハンドオーバー、及びボイス・オーバー・インターネット・プロトコルに関する機能強化のサポートについての情報に基づいて、前記第１無線アクセスネットワークから前記第２無線アクセスネットワークへハンドオーバーが実行されるとき、前記音声ベアラと前記非音声ベアラとを異なる態様で取り扱うように構成されている請求項１記載のノード（２０７、２１７）。
【請求項３】
前記第２無線アクセスの前記回路交換ドメインコアネットワークは、モバイルスイッチングセンター（２１３）であり、
前記第２無線アクセスネットワークの前記パケット交換ドメインコアネットワークは、サポート汎用パケット無線システムサービスノード（２１５）である請求項１記載のノード（２０７、２１７）。
【請求項４】
前記第１無線アクセスネットワークは、進化型ユニバーサル地上波無線アクセスネットワークであり、
前記第２無線アクセスネットワークは、ユニバーサル地上波無線アクセスネットワーク、及びグローバル・モバイル・通信システム・無線アクセスネットワークのためにデータ転送速度が高められた汎用パケット無線システムのうちの一つである請求項１に記載のノード（２０７、２１７）。
【請求項５】
前記処理回路は、さらに、前記第２無線アクセスネットワークが、デュアル転送モード、パケット交換ハンドオーバー、及びボイス・オーバー・インターネット・プロトコルに関する機能強化をサポートしているか否かを示す情報を、前記第１無線アクセスネットワークから前記通信回路を介して、動的に取得するように構成されている請求項１に記載のノード（２０７、２１７）。
【請求項６】
前記処理回路は、さらに、前記ベアラ分割を、通話ごとに実行するように構成されている請求項１に記載のノード（２０７、２１７）。
【請求項７】
パケット交換される音声をサポートする第１無線アクセスネットワークのソースセルと少なくとも回線交換される音声をサポートする第２無線アクセスネットワークのターゲットセルとの間の通信システムにおける単一の無線の音声通話連続性の解決策を共存させるための方法であって、前記方法は、デュアル転送モード、パケット交換ハンドオーバー、及びボイス・オーバー・インターネットプロトコルに関する機能強化のサポートについての情報に基づいて、非音声ベアラから音声ベアラを分離することにより、ベアラ分割を実行すること（３０９）を含み、
前記第２無線アクセスネットワークが、デュアル転送モード、パケット交換ハンドオーバー、及びボイス・オーバー・インターネット・プロトコルに関する機能強化をサポートしていない場合、音声ベアラのためにパケット交換ハンドオーバーを第２無線アクセスネットワークの回路交換ドメインコアネットワークに向けた回路交換ハンドオーバーに変換するとともに（３１１）、
非音声ベアラのために第１の無線アクセスネットワークのノード（２０７、２１７）と第２無線アクセスネットワークのパケット交換ドメインコアネットワークとの間のハンドオーバー信号を転送すること（３１７）、ないし、前記非音声ベアラを中止させること、のうち１つを実行し、そして、
前記第２無線アクセスネットワークが、デュアル転送モード、パケット交換ハンドオーバー、及びボイス・オーバー・インターネット・プロトコルに関する機能強化をサポートする場合、音声ベアラ及び非音声ベアラのために前記ノード（２０７、２１７）と第２無線アクセスネットワークの前記パケット交換ドメインコアネットワークとの間のハンドオーバー信号を転送すること（４１７）を含む方法。
【請求項８】
前記ターゲットセルにおける、デュアル転送モード、パケット交換ハンドオーバー、及びボイス・オーバー・インターネット・プロトコルに関する機能強化のサポートについての情報に基づいて、前記第１無線アクセスネットワークから前記第２無線アクセスネットワークへハンドオーバーが実行されるとき、前記音声ベアラと前記非音声ベアラとを異なる態様で取り扱うことを備える請求項７記載の方法。
【請求項９】
前記第２無線アクセスの前記回路交換ドメインコアネットワークは、モバイルスイッチングセンター（２１３）であり、前記第２無線アクセスネットワークの前記パケット交換ドメインコアネットワークは、サポート汎用パケット無線システムサービスノード（２１５）である請求項７記載の方法。
【請求項１０】
前記第１無線アクセスネットワークは、進化型ユニバーサル地上波無線アクセスネットワークであり、前記第２無線アクセスネットワークは、ユニバーサル地上波無線アクセスネットワーク、及びグローバル・モバイル・通信システム・無線アクセスネットワークのために高められたデータ転送速度を有する汎用パケット無線システムのうちの一つである請求項７に記載の方法。
【請求項１１】
前記第２無線アクセスネットワークが、デュアル転送モード、パケット交換ハンドオーバー、及びボイス・オーバー・インターネット・プロトコルに関する機能強化をサポートしているか否かを示す情報を、前記第１無線アクセスネットワークから動的に取得し、又は、前記情報を実行するように構成されたノード（２０７、２１７）に前記情報を静的に格納するとこのうちいずれか１つのことを実行する請求項７に記載の方法。
【請求項１２】
さらに前記ベアラ分割を、通話ごとに実行することを含む請求項７に記載の方法。
【発明の詳細な説明】
【発明の詳細な説明】
【０００１】
（発明の分野）
本発明は、単一の無線の音声通話連続性のための解決策を提供する。具体的には、本発明は、第１無線アクセスネットワーク（ＲＡＮ（radio access network））から第２ＲＡＮへのハンドオーバー（ＨＯ（handover））を実行する方法に関する。本発明は、また、本発明の教示が適用される無線通信システムにおけるネットワークエンティティに関する。
【０００２】
（発明の背景）
進化型ユニバーサル地上波無線アクセスネットワーク（ＥＵＴＲＡＮ（evolved universal terrestrial radio access network））上のボース・オーバー・インターネット・プロトコル・マルチメディア・サブシステム（ＶｏＩＭＳ（voice over internet protocol multimedia subsystem））と、グローバル・イボリューション無線アクセス・ネットワーク（ＧＥＲＡＮ（global evolution radio access network））回路交換（ＣＳ（circuit switched））ドメインまたはＵＴＲＡＮ  ＣＳドメインのためにデータ転送速度が高められた汎用パケット無線との間の音声の連続性は、ＶｏＩＭＳセッションからＣＳボイスへの変換及びその逆変換が必要である。この変換は、第３世代パートナーシッププロジェクト（３ＧＰＰ）Ｒｅｌ−７の特徴である音声通話の連続性（ＶＣＣ（voice call continuity））カテゴリーにあたる。しかしながら、このＲｅｌ−７の特徴は、「デュアル無線」、即ち、遷移期間におけるソースおよびターゲット無線の同時接続を必要とする。この「デュアル無線」の使用は、無線ローカルエリア・ネットワーク（ＷＬＡＮ（wireless local area network））無線と、ＧＥＲＡＮ、ＵＴＲＡＮ、及びＥＵＴＲＡＮ無線との間で可能であるが、しかし、ＥＵＴＲＡＮとＧＥＲＡＮ  ＣＳとの間、または、ＥＵＴＲＡＮとＵＴＲＡＮ  ＣＳとの間では不可能である。
【０００３】
３ＧＰＰ  ＴＲ  ２３．８８２にＳＲ（single radio）ＶＣＣの候補解決策がリストされている。例えば、（１）Ｃ−ＶＣＣ（Combinational VCC）、及び（２）Ｉｎｔｅｒ−ＭＳＣ（Inter-mobile）ＨＯ（handover）である。
【０００４】
まだ達成されていないが、ＧＥＲＡＮ／ＵＴＲＡＮが可能なＶｏＩＰを伴った単一の無線（ＳＲ（single radio））の音声通話連続性の解決策の共存を達成する必要がある。本発明は、また、Ｃ−ＶＣＣ解決策とＩｎｔｅｒ−ＭＳＣ  ＨＯ解決策との間の共存を達成する解決策を提供する。オペレータがＵＴＲＡＮを有しているか、または、Ｃ−ＶＣＣをサポートすることができる進化型ＧＥＲＡＮアクセスの部分的な配置を開始した場合は、通話ごとに一方または他方の使用を許可することによって、２つの解決策を相互作用させる必要がある。
【０００５】
（発明の概要）
本発明の目的は、パケット交換（ＰＳ（packet switched））システムから回路交換（ＣＳ（circuit switched））システムへの、より具体的には、第４世代（４Ｇ）システムから第３世代（３Ｇ）または第２世代（２Ｇ）システムへのＨＯの実行を通話遮断無しに行う信頼性のある方法を提供することにある。
【０００６】
本発明の第１の側面に従えば、パケット交換される音声をサポートする第１無線アクセスネットワークのソースセルと少なくとも回線交換される音声をサポートする第２無線アクセスネットワークのターゲットセルとの間の通信システムにおける単一の無線の音声通話連続性の解決策を共存させるためのノードが提供される。このノードは、前記ターゲットセルにおける、デュアル転送モード、パケット交換ハンドオーバー、及びボイス・オーバー・インターネット・プロトコルに関する機能強化のサポートについての情報に基づいて、非音声ベアラから音声ベアラを分離することにより、ベアラ分割を実行するように動作可能である。
【０００７】
これにより、本発明は、Ｃ−ＶＣＣとｉｎｔｅｒ−ＭＳＣ解決策との相互作用の信頼性のある方法を提供する。
【０００８】
本発明の第２の側面に従えば、パケット交換される音声をサポートする第１無線アクセスネットワークのソースセルと少なくとも回線交換される音声をサポートする第２無線アクセスネットワークのターゲットセルとの間の通信システムにおける単一の無線の音声通話連続性の解決策を共存させるための方法が提供され、この方法は、デュアル転送モード、パケット交換ハンドオーバー、及びボイス・オーバー・インターネットプロトコルに関する機能強化のサポートについての情報に基づいて、非音声ベアラから音声ベアラを分離することにより、ベアラ分割を実行する。
【０００９】
（図面の簡単な説明）
本発明の他の特徴及び効果は、添付された図面を参照した下記の非限定的な記載から明らかになるであろう。
【００１０】
図１は、Ｃ−ＶＣＣが実行され得るネットワーク構成を示す。
【００１１】
図２は、ｉｎｔｅｒ−ＭＳＣ  ＨＯが実行され得るシステムのネットワークアーキテクチャを示すブロック図である。
【００１２】
図３は、本発明の実施形態に係るベアラ分割が実行されるＨＯ方法を示すフローチャートである。
【００１３】
図４は、本発明の実施形態に係るベアラ分割が実行されないＨＯ方法を示すフローチャートである。
【００１４】
（発明の実施形態の詳細な説明）
下記に述べる実施形態は、本発明を当業者が実施できるために必要な情報を現しており、及び本発明の有利な実施形態を示している。添付の図面を参照しながら以下の記載を読むと、当業者は本発明の概念を理解し、これらの概念の適用は特にこの中に限定されないことを理解するだろう。これらの概念及び適用は開示の範囲に収まることが理解される。
【００１５】
上記したように、３ＧＰＰアクセスのためのＳＲ  ＶＣＣを実装するには、Ｃ−ＶＣＣまたはｉｎｔｅｒ−ＭＳＣ  ＨＯのように、いくつかの可能性がある。
【００１６】
Ｃ−ＶＣＣ解決策が図１を参照して簡潔に説明される。図１には２つのＬＡＮ、即ち、ＰＳネットワークであり、ＣＳ接続をサポートしないＥＵＴＲＡＮと、ＣＳとＰＳとの双方の接続を同時に提供する（ＤＴＭ）ＧＥＲＡＮとが示されている。音声通話連続性アプリケーションサーバーはＩＭＳで動作する。ＥＵＴＲＡＮからＧＥＲＡＮ  ＣＳへのＨＯは、ＧＥＲＡＮ  ＰＳを中間ステップとして使用することによりＣ−ＶＣＣ解決策の中で実施される。
【００１７】
まず、ユーザ装置（ＵＥ（user equipment））はＥＵＴＲＡＮからＧＥＲＡＮ  ＰＳへのＰＳ  ＨＯを実行する。そして、ＵＥは、ＧＥＲＡＮ  ＰＳからＧＥＲＡＮ  ＣＳへのドメイン変換（ＤＴ（domain transfer））を実行するためにＧＥＲＡＮにてＣＳ及びＰＳの同時接続の可能性に依存する。これには、ＧＥＲＡＮ側のＰＳ  ハンドオーバー及びＤＴＭ、並びに、おそらくはＶｏＩＰに関する機能強化（後者は、ドメイン変換を実行するために必要とされる数秒間において音質の知覚し得る劣化を回避するために必要となるだろう）をサポートすることが必要になる。このため、ＧＥＲＡＮ  ＰＳを「更衣室（changing room）」としてのみ使用するという意図であり、つまり、ＵＥは、ＧＥＲＡＮ  ＰＳの中に居続けるのではなく、ＤＴ手順を実行する必要がある。手短に言えば、このＣ−ＶＣＣ解決策は、無線レベルＨＯとアプリケーションレベルＤＴとの組み合わせなのである。
【００１８】
図１は、また、ターゲットアクセスがＵＴＲＡＮである場合にも適用される。ＧＥＲＡＮに反して、ＵＴＲＡＮアクセスは、ＰＳ  ＨＯ及びＤＴＭオペレーションを実際的にサポートしており、ＶｏＩＰに関するいかなる機能強化も無しにＶｏＩＰをサポートすることができる。
【００１９】
要約すると、Ｃ−ＶＣＣ解決策は、いかなる大きな変更も無しに、進化型ＵＴＲＡＮネットワークに適用することができ、進化型ＧＥＲＡＮネットワークは、それをサポートするためにかなりの機能強化が必要である。
【００２０】
図２は、本願発明の教示が適用される無線通信システムのネットワークアーキテクチャの簡略化されたブロック図を示す。このアーキテクチャは、ｉｎｔｅｒ−ＭＳＣ  ＨＯを実行するのに適している。ＥＵＴＲＡＮ２０１は、４Ｇシステムの無線ネットワーク・アクセスの一部であり、ＵＴＲＡＮ２０３は、ユニバーサル・モバイル・テレコミュニケーション・システム（ＵＭＴＳ（universal mobile telecommunications system））のような３Ｇシステムの無線ネットワーク・アクセスの一部である。例えば、ＵＴＲＡＮは、モバイル通信用グローバルシステム（ＧＳＭ（global system for mobile communications））のような、２Ｇシステムのための無線アクセス・ネットワークの一部であるＧＥＲＡＮと置き換えることが可能である。この図では、ユーザ装置２０５が４Ｇシステムのカバレッジ・エリアを離れるように移動し、ハンドオーバーがＵＴＲＡＮ又はＧＥＲＡＮに実行される。４Ｇシステムは、また、システム内のモビリティを管理するモビリティ管理エンティティ（ＭＭＥ（mobility management entity））２０７を有している。サービング・ゲイトウェイ（ＧＷ（serving gateway））２０９は、パケット・データ・ネットワーク（ＰＤＮ（packet data network））２１１に接続される。
【００２１】
３Ｇ（または２Ｇ）システム側では、訪問先のモバイル・スイッチング・センター（ｖＭＳＣ（visited mobile switching centre））２１３とサポート汎用パケット無線システム（ＧＰＲＳ）サービスノード（ＳＧＳＮ）２１５とが示されている。４Ｇ及び３Ｇ（又は２Ｇ）システムは、相互作用機能（ＩＷＦ（interworking function））ノード２１７を通って互いに接続されている。この図では、さらに、メディア・ゲイトウェイ２１９と、メディア・リソース機能（ＭＲＦ）ノード２２１、ＩＭＳ  ＣＳ制御機能（ＣＳＣＦ）／ドメイン変換機能（ＤＴＦ）ノード２２３、及びコール・セッション制御機能（ＣＳＣＦ）２２５が示されている。
【００２２】
ある実施の形態では、ｉｎｔｅｒ−ＭＳＣ  ＨＯを実行すると、相互作用機能（ＩＷＦ）は、ＥＵＴＲＡＮからＣＳハンドオーバーの間、非音声セッションから音声を分離するように構成されている。
【００２３】
音声セッションのためにＩＷＦは、
・  ＥＵＴＲＡＮアクセスに向けて（ＭＭＥを介して）、及びレガシーＣＳアクセスに向けて（ｖＭＳＣを介して）、ＰＳ  ＨＯ及びＣＳ  ＨＯをそれぞれエミュレートし、
・  ｖＭＳＣに向けてアンカーＭＳＣをエミュレートし、
・  非ＩＭＳ中央サービス（ＩＣＳ）ＵＥのためのＴＲ  ２３．８９２  ＩＭＳＣアプローチで定義されているように、ＭＳＣの能力があるＩＭＳ中央サービス（ＩＭＳＣ）と、コールセッション制御機能部（ＣＳＣＦ）との間の１６個の参照ポイントに類似した態様で、ホームＩＭＳへのＭｗのようなインターフェースを提示し、
非音声セッションのためにＩＷＦは、
・ＭＭＥとＳＧＳＮとの間のＰＳハンドオーバー／再配置・メッセージを代理する。
【００２４】
このようにして、このｉｎｔｅｒ−ＭＳＣ  ＨＯカテゴリーの解決策は、配置されたＧＥＲＡＮ  ＰＳアクセス・ネットワークに大きな変化を必要としないことが実現され、例えば、（Ｃ−ＶＣＣアプローチに反して）ＤＴＭ無し、ＶｏＩＰに関する最適化無し、ＰＳ  ＨＯ無しである。言い換えれば、ｉｎｔｅｒ−ＭＳＣ  ＨＯ解決策は、既存のＧＥＲＡＮアクセスネットワーク、配置されているＵＴＲＡＮアクセスネットワークに、いかなる機能強化も必要としない。
【００２５】
ターゲットアクセスがＵＴＲＡＮであるとき、Ｃ−ＶＣＣまたはｉｎｔｅｒ−ＭＳＣ  ＨＯが使用され得るが、どちらを使用するかはオペレータの選択の問題である。もし、ＵＴＲＡＮがＶｏＩＰを効率的に、即ち、高速度パケットアクセス（ＨＳＰＡ）でサポートすれば、オペレータはＰＳドメインでの音声通話を保つことを好むだろう。この場合は、Ｅ−ＵＴＲＡＮとＵＴＲＡＮアクセスとの間の音声の連続性は、通常のＰＳドメイン・ハンドオーバー（Ｃ−ＶＣＣの第１ステップ）を介して確保される。
【００２６】
オペレータがＵＴＲＡＮを有しているか、Ｃ−ＶＣＣ（即ち、ＰＳ  ＨＯ、ＤＴＭ、及びＶｏＩＰに関する最適化）をサポートすることができる進化型ＧＥＲＡＮアクセスの部分的な配置を開始した場合は、通話ごとに一方または他方を使用することを許すことにより、二つの解決策を相互作用させる必要がある。
【００２７】
本実施の形態では、ＭＭＥ２０７からのＨＯ信号は、常にＩＷＦノード２１７に向かって始まる。通話ごとに、ターゲットセルにおけるＣ−ＶＣＣのサポートに関する情報に基づいて、ＩＷＦ２１７は、非音声ベアラから音声ベアラを分割するか否かを決定する。もし、ターゲットＧＥＲＡＮセルが、Ｃ−ＶＣＣをサポートしていないならば、ＩＷＦ２１７は、音声ベアラのためにＰＳ  ＨＯをＣＳ  ＨＯに変換するとともに、非音声ベアラのためにＭＭＥ２０７とＳＧＳＮ２１５との間のＨＯ信号を代理するか、又は、非音声ベアラを中止する。これに対して、もし、ターゲットＧＥＲＡＮセルがＣ−ＶＣＣをサポートしていれば、ＩＷＦ２１７は、すべてのベアラ（即ち、音声及び非音声）のためにＭＭＥ２０７とＳＧＳＮ２１５との間のＨＯシグナリングを代理する。ターゲットセルにおけるＣ−ＶＣＣのサポートに関する情報は、ＩＷＦ２１７内で静的に構成されるか、ＨＯシグナリングの間にＭＭＥ２０７から動的に取得される。
【００２８】
図３は、ＩＭＳ／ＥＵＴＲＡＮからＧＥＲＡＮ  ＣＳへのＤＴを記載したフローチャートを示す。ステップ３０１でＵＥ２０５はソースＥＵＴＲＡＮ２０１に測定報告を送信する。ステップ３０３でこれらの測定に基づきソースＥＵＴＲＡＮ２０１は、ハンドオーバーの引き金を引くことを決定する。ステップ３０５でＥＵＴＲＡＮ２０１は、「再配置要求」（「ハンドオーバー要求としても知られる」メッセージをＭＭＥ２０７に送信し、ＭＭＥ２０７はステップ３０７で「再配置要求」メッセージをＩＷＦノード２１７に進める。
【００２９】
ＩＷＦノード２１７は、ステップ３０９でベアラ分割を実行する。言い換えれば、ＩＷＦノード２１７は、ＶｏＩＰベアラを他のすべてのＰＳベアラから分離して、それをステップ３１１でｖＭＳＣに進める。ｖＭＳＣ２１３がステップ３１１で「ＨＯ要求作成」送信を受け取ると、ステップ３１３で「ハンドオーバー要求」をＧＥＲＡＮ２０３に送信する。このハンドオーバー要求は、ＧＥＲＡＮ２０３によって認識される。もし、ターゲットセルがデュアル転送モードをサポートしていなければ、ステップ３１５で残りの非音声ＰＳベアラが中止され、もし、ターゲットセルがデュアル転送モード及びＰＳハンドオーバーをサポートしていれば、ステップ３１７でＳＧＳＮに向かって再配置される。残りの信号はこの文脈で記載されないが、ＨＯを実行するための標準手続きの後に続く。
【００３０】
音声の連続性が、ＩＭＳ／ＥＵＴＲＡＮからＧＥＲＡＮ  ＣＳにおいて為され、ＧＥＲＡＮが、ＰＳ  ＨＯ、ＤＴＭオペレーション、及びＶｏＩＰに関する機能強化をサポートする場合は、フローチャートは少し異なり、図４に示される。ＩＷＦ２１７は、ベアラ分割を実行しないことを決定し、ステップ４１７において「前方再配置要求」をＳＧＳＮ２１５に送信することによって、すべてのベアラのためのＰＳ  ＨＯ手続きを開始する。
【００３１】
ターゲットアクセスがＵＴＲＡＮであるときは、ベアラ分割を実行するか否かはオペレータの選択の問題である。
【００３２】
ベアラ分割が、ｉｎｔｅｒ−ＭＳＣ  ＨＯ解決策に関連するＩＷＦノード２１７によって為されたと本発明の上記一実施形態に記載された。しかしながら、そのような記載は、説明のための、又は例示のためのものであり、限定するためのものではないと考えるべきであり、本発明は、開示された実施の形態に対して限定的ではない。例えば、ベアラ分割は、他のノード、例えばＭＭＥ２０７においても為され得る。また、ターゲットセルがＣ−ＶＣＣをサポートするか否かを決定する代わりに、ターゲットセルがＰＳ  ＨＯｓ、ＤＴＭ、及びＶｏＩＰの機能強化をサポートするか否かが決定され得る。開示された実施形態に対する他の変形は、図面、開示、及び添付されたクレームの研究からクレーム発明を実施する当業者によって理解され、効果がもたらされ得る。
【００３３】
クレームにおいて、「comprising」という用語は、他の要素またはステップを排除するものではなく、不定冠詞「ａ」または「ａｎ」は、複数を排除するものではない。単一のプロセッサー又は他のユニットは、クレームに規定された構成要件の機能を満足する。互いに異なる従属請求項に異なる特徴が規定されているという単なる事実は、これらの特徴の組み合わせが有利に使用できないことを示すものではない。クレーム内のいかなる参照符号も、発明の範囲を限定するように解釈されるべきでない。
【図面の簡単な説明】
【００３４】
【図１】Ｃ−ＶＣＣが実行され得るネットワーク構成を示す。
【図２】ｉｎｔｅｒ−ＭＳＣ  ＨＯが実行され得るシステムのネットワークアーキテクチャを示すブロック図である。
【図３】本発明の実施形態に係るベアラ分割が実行されるＨＯ方法を示すフローチャートである。
【図４】本発明の実施形態に係るベアラ分割が実行されないＨＯ方法を示すフローチャートである。
【図１】
0005441921.tif 000002
【図２】
0005441921.tif 000003
【図３】
0005441921.tif 000004
【図４】
0005441921.tif 000005